(57)【特許請求の範囲】
【請求項１】
家具本体（２）、第１のフラップ部分（３１）と第２のフラップ部分（３２）とを備えた２部分から成る家具フラップ（３）、および該家具フラップ（３）用の少なくとも１つの支持装置（４）を有しており、前記支持装置（４）が前記家具本体（２）および前記家具フラップ（３）に枢着結合されている家具（１）であって、前記支持装置（４）は、前記第１のフラップ部分（３１）の内側に配置されていてかつ前記第１のフラップ部分（３１）の内側に沿って直線的に移動可能な伝達部分（４０）を有しており、該伝達部分（４０）は、前記第１のフラップ部分（３１）の調節角に関連して、該第１のフラップ部分（３１）に対する前記第２のフラップ部分（３２）の調節角を決定することを特徴とする家具（１）。
【請求項２】
前記第１のフラップ部分（３１）は、取付け位置において上側に配置されており、前記第２のフラップ部分（３２）は、取付け位置において下側に配置されている、請求項１記載の家具（１）。
【請求項３】
前記支持装置（４）の前記伝達部分（４０）は、第１の枢着点（４３）において、第１のヒンジレバー（４１）を介して、前記家具本体（２）に枢着結合されている、請求項１または２記載の家具（１）。
【請求項４】
前記第１の枢着点（４３）は、取付け位置において上側に配置されている、請求項３記載の家具（１）。
【請求項５】
前記第１の枢着点（４３）は、前記伝達部分（４０）の第１の端部に配置されている、請求項３または４記載の家具（１）。
【請求項６】
前記支持装置（４）の前記伝達部分（４０）は、第２の枢着点（４４）において、第２のヒンジレバー（４２）を介して前記第２のフラップ部分（３２）に枢着結合されている、請求項３から５までのいずれか１項記載の家具（１）。
【請求項７】
前記第２の枢着点（４４）は、取付け位置において下側に配置されている、請求項６記載の家具（１）。
【請求項８】
前記第２のヒンジレバー（４２）は、取付け金具（４９）を介して前記第２のフラップ部分（３２）に枢着結合されている、請求項６または７記載の家具（１）。
【請求項９】
前記第２の枢着点（４４）は、前記伝達部分（４０）の第２の端部に配置されている、請求項６から８までのいずれか１項記載の家具（１）。
【請求項１０】
前記第１のフラップ部分（３１）は、第１の枢着結合部（４６）を介して、前記家具本体（２）に結合されている、請求項６から９までのいずれか１項記載の家具（１）。
【請求項１１】
前記第１のフラップ部分（３１）は、第１の家具ヒンジを介して、前記家具本体（２）に結合されている、請求項６から９までのいずれか１項記載の家具（１）。
【請求項１２】
前記第１のフラップ部分（３１）は、第２の枢着結合部（４７）を介して、前記第２のフラップ部分（３２）に結合されている、請求項１０記載の家具（１）。
【請求項１３】
前記第１のフラップ部分（３１）は、第２の家具ヒンジを介して、前記第２のフラップ部分（３２）に結合されている、請求項１から１１までのいずれか１項記載の家具（１）。
【請求項１４】
前記第２のヒンジレバー（４２）は、取付け位置において、前記フラップ部分（３１，３２）を結合する前記第２の枢着結合部（４７）の枢着点の下方で、前記第２のフラップ部分（３２）に結合されている、請求項１２記載の家具（１）。
【請求項１５】
前記支持装置（４）の前記伝達部分（４０）と、前記第１のヒンジレバー（４１）および／または前記第２のヒンジレバー（４２）とは、前記家具フラップ（３）の閉鎖位置において互いにほぼ一直線に整列している、請求項６または７記載の家具（１）。
【請求項１６】
前記支持装置（４）の前記伝達部分（４０）と、前記第１のヒンジレバー（４１）および／または前記第２のヒンジレバー（４２）とは、前記家具フラップ（３）の開放位置において互いにほぼ一直線に整列している、請求項６または７記載の家具（１）。
【請求項１７】
前記支持装置（４）の前記伝達部分（４０）の長手方向長さに対する前記第１のヒンジレバー（４１）および／または前記第２のヒンジレバー（４２）の長手方向長さの比が、１／２よりも小さいかまたは同じである、請求項６または７記載の家具（１）。
【請求項１８】
前記支持装置（４）の前記伝達部分（４０）は、相対的に移動可能なガイド部分（４５）におけるほぼ直線的な案内構造によって少なくとも部分的に案内されている、請求項１２記載の家具（１）。
【請求項１９】
前記案内構造は、強制案内である、請求項１８記載の家具（１）。
【請求項２０】
前記案内構造は、溝付レールを備えた強制案内である、請求項１９記載の家具（１）。
【請求項２１】
前記支持装置（４）の前記ガイド部分（４５）は、前記第１のフラップ部分（３１）の内側に固定されている、請求項１８から２０までのいずれか１項記載の家具（１）。
【請求項２２】
前記ガイド部分（４５）は、前記第１の枢着結合部（４６）および／または前記第２の枢着結合部（４７）に結合されている、請求項１８から２１までのいずれか１項記載の家具（１）。
【請求項２３】
前記第１のフラップ部分（３１）の高さに対する前記支持装置（４）の前記伝達部分（４０）の長手方向長さの比が、１／３と少なくとも同じかまたはそれよりも大きい、請求項１から２２までのいずれか１項記載の家具（１）。
【請求項２４】
前記第１のフラップ部分（３１）の高さに対する前記支持装置（４）の前記伝達部分（４０）の長手方向長さの比が、１／２と少なくとも同じかまたはそれよりも大きい、請求項１から２２までのいずれか１項記載の家具（１）。
【請求項２５】
前記第１のフラップ部分（３１）の高さに対する前記支持装置（４）の前記伝達部分（４０）の長手方向長さの比が、最高で０.８である、請求項１から２４までのいずれか１項記載の家具（１）。
【請求項２６】
前記支持装置（４）は、電気式のおよび／またはばね荷重を加えられた機械式の駆動装置（５）を有している、請求項１から２５までのいずれか１項記載の家具（１）。
【請求項２７】
前記ばね荷重を加えられた機械式の駆動装置（５）は、蓄力器を有しており、前記蓄力器によって、制御カム（５２）に力を加えることができる、請求項２６記載の家具（１）。
【請求項２８】
前記蓄力器は、少なくとも１つのばね（５１）である、請求項２７記載の家具（１）。
【請求項２９】
前記駆動装置（５）は前記第１のヒンジレバー（４１）に対して作用する、請求項３を引用する請求項２６から２８までのいずれか１項記載の家具（１）。
【請求項３０】
２部分から成る家具フラップ（３）のための支持装置（４）であって、
家具（１）に固定可能なハウジング（４８）と、
伝達部分（４０）と、
該伝達部分（４０）の第１の枢着点（４３）に配置されていて前記ハウジング（４８）に枢着結合された第１のヒンジレバー（４１）と、
前記伝達部分（４０）の第２の枢着点（４４）に配置された第２のヒンジレバー（４２）と、
前記家具フラップ（３）の第１のフラップ部分（３１）に固定可能なガイド部分（４５）であって、前記第１のフラップ部分（３１）に沿って前記伝達部分（４０）を案内するガイド部分（４５）と、
前記ハウジング（４８）を前記ガイド部分（４５）に結合する第１の枢着結合部（４６）と、
前記ガイド部分（４５）を前記第２のヒンジレバー（４２）に結合しかつ前記家具フラップ（３）の第２のフラップ部分（３２）を固定する第２の枢着結合部（４７）と、
を備えた支持装置（４）。
【請求項３１】
前記ガイド部分（４５）は、前記伝達部分（４０）をほぼ直線的に案内する、請求項３０記載の支持装置（４）。
【請求項３２】
請求項３０または３１記載の支持装置（４）の使用。
【発明の詳細な説明】
【技術分野】
【０００１】
本発明は、家具本体、好ましくは取付け位置において上側に配置された第１のフラップ部分と好ましくは取付け位置において下側に配置された第２のフラップ部分とを備えた２部分から成る家具フラップ、および該家具フラップ用の少なくとも１つの支持装置を有しており、支持装置が家具本体および家具フラップに枢着結合されている家具、ならびに２部分から成る家具フラップのための支持装置に関する。
【０００２】
例えば欧州特許出願公開第１９５９０７７号明細書（EP 1 959 077 A1）および独国特許出願公告第１５２９６５２号明細書（DE 1529652 B1）のような従来技術に基づいて、２部分から成る家具フラップ用の支持装置を備えた家具、ならびにこのような支持装置自体は、多くの構成において公知である。このような家具の例えば２部分から成る上方折畳み式フラップ（Hochfaltklappe）を支持および運動させるためには、このとき通常、上方折畳み式フラップの、互いに枢着結合された部分フラップのうちの１つに対して作用する調節アームが使用される。通常、水平な軸線を中心にして旋回可能な調節アームによって、枢着された家具フラップを開放動作時および閉鎖動作時に案内もしくは支持することができる。家具フラップを移動させるこのような調節装置を備えた、従来技術において公知の家具における欠点は、部分フラップとは別個に構成された調節アームである。家具フラップの開放時に、家具フラップは通常、家具の家具本体の内室から外方旋回し、特に調節アームが２部分から成る上方折畳み式フラップの下側のフラップ部分に作用する場合には、通常、家具フラップの開放域においても家具本体の内室から外に突出している。このような支持装置の、家具本体の内室から外に突出する外方旋回式の調節アームによって、開放された家具フラップにおいて家具本体の内室に側方から係合することが困難であると共に、調節アームと家具本体または部分フラップとの間に使用者の手もしくは指が挟まることによって怪我をするおそれもある。
【０００３】
ゆえに本発明の課題は、家具本体、２部分から成る家具フラップ、および家具本体と家具フラップとに枢着結合された支持装置とを備えた、従来技術に比べて改善された家具、ならびに２部分から成る家具フラップ用のこのような支持装置を提供することである。
【０００４】
特に、上に述べた欠点を解消すること、ならびに操作快適性および美観を大幅に高めかつ怪我のおそれを最小にする家具および支持装置を、使用者に提供することが望ましい。
【０００５】
課せられた課題は、請求項１に記載の特徴を備えた家具によって、ならびに請求項２２に記載の特徴を備えた支持装置によって解決される。本発明の好適な実施形態は、従属請求項において定義されている。
【０００６】
支持装置が、第１のフラップ部分の内側に配置された伝達部分を有しており、該伝達部分が、第１のフラップ部分の調節角に関連して、該第１のフラップ部分に対する第２のフラップ部分の調節角を決定することによって、家具フラップの開放運動時または閉鎖運動時に、好ましくは取付け位置において下側に配置された第２のフラップ部分の傾きを、好ましくは取付け位置において上側に配置された第１のフラップ部分の位置に関連して、家具フラップの開放行程もしくは閉鎖行程の内部において生ぜしめることができる。第１のフラップ部分と第２のフラップ部分との間における調節角によって特徴付けることができるこの傾きによって、さらにこのとき調節角が、家具本体に対する第１のフラップ部分の、開放位置または閉鎖位置に対応する調節角に関連していることによって、家具の家具フラップの開放時または閉鎖時に第２のフラップ部分をほぼ鉛直方向で移動させることができる。このことには、下記の効果がある。すなわちこの場合、好ましくは取付け位置において下側の第２のフラップ部分は、家具フラップの開放時または閉鎖時に、実質的に、好ましくは取付け位置において上側の第１のフラップ部分よりも大きく家具本体から外方旋回することはなく、これによって使用者にとってより快適な開放運動または閉鎖運動が得られる。このとき支持装置の、調節角を決定する伝達部分は、第１のフラップ部分の内側に、つまり第１のフラップ部分の、家具本体の内室に向けられた側に配置されており、これによって極めてコンパクトでかつ各位置においてほぼ家具フラップのフラップ部分の輪郭に追従する、家具本体の内室から突出する追加的な部分なしで十分な支持装置を、提供することができる。このような支持装置を備えた家具は、家具本体の内室内への、特に容易な側方からの係合可能性、高い美観および操作安全性の点で傑出している。本発明に係る支持装置を備えた家具フラップのコンパクトな構造形式によって、家具の内室の最適化された空間使用を達成することができる。
【０００７】
支持装置の伝達部分が、好ましくは取付け位置において上側に配置された第１の枢着点において、第１のヒンジレバーを介して、家具本体に枢着結合されていることによって、伝達部分に対して家具フラップの開放時または閉鎖時に伝達部分に対して静止している家具本体に対する、伝達装置の好適な結合形態を得ることができる。そして家具フラップの開放時または閉鎖時に、およびこれに関連した、取付け位置において好ましくは上側に配置されたフラップ部分の旋回時、および該フラップ部分と一緒に行われる、該フラップ部分において内側に配置された伝達部分の旋回時に、伝達部分に対する運動を大きな旋回範囲のために効果的に伝達することができる。さらにこれによって、伝達部分の、第１のフラップ部分の大きな部分にわたって内側に位置している配置形態が可能になる。ヒンジレバーおよび伝達部分のそれぞれの構成によって、伝達比をも開放運動または閉鎖運動の伝達に適合させることができる。
【０００８】
第１の枢着点が、伝達部分の第１の端部に配置されていることによって、伝達部分の最大の調節行程を使用することができる。さらに、このようなコンパクトな構成を可能にすることができる。
【０００９】
支持装置の伝達部分が、好ましくは取付け位置において下側に配置された第２の枢着点において、第２のヒンジレバーを介して第２のフラップ部分に枢着結合されていることによって、家具フラップの開放時または閉鎖時に行われる、第１のフラップ部分の旋回を、好ましくは取付け位置において下側に配置された第２のフラップ部分に、好適に伝達することができる。第２のヒンジレバーおよび伝達部分のそれぞれの構成によって、フラップ部分の調節角に関連する旋回の伝達比を調節することができる。第２のヒンジレバーを介した結合によって、さらに、第１のフラップ部分の大きな部分にわたって内側において接触している、伝達部分の配置形態が可能になる。
【００１０】
第２のヒンジレバーが、取付け金具を介して第２のフラップ部分に枢着結合されていることによって、フラップ部分の調節角の伝達の伝達比を調節するための追加的な可能性を得ることができる。例えば１つの支持装置を、取付け金具の寸法設定によって家具フラップの種々様々な均衡のとれたフラップ部分に適合させることができる。取付け金具を介して結合によって、特にまとまった、簡単に調節可能でかつ容易に取付け可能な、支持装置の構成を可能にすることができる。
【００１１】
第２の枢着点が、伝達部分の第２の端部に配置されていることによって、伝達部分の最大の調節行程を利用することができ、かつ支持装置を備えた家具フラップのコンパクトな構造形式をも可能にする。
【００１２】
第１のフラップ部分が、第１の枢着結合部を介して、好ましくは第１の家具ヒンジを介して、家具本体に結合されていることによって、家具フラップの開放時または閉鎖時における第１のフラップ部分の旋回を可能にする、第１のフラップ部分と家具の家具本体との結合部を得ることができる。このときこの第１の枢着結合部は、支持装置の一部であってよく、これによって特にまとまったコンパクトな、支持装置の構成を可能にすることができる。第１の家具ヒンジを介して結合されていると、さらに第１のフラップ部分の容易な取付けおよび方向付けを可能にすることができる。またこの第１の枢着結合部内に、家具の家具フラップの閉鎖運動を緩衝する手段が設けられていてもよい。
【００１３】
第１のフラップ部分が、第２の枢着結合部を介して、好ましくは第２の家具ヒンジを介して、第２のフラップ部分に結合されていることによって、第１および第２のフラップ部分を、特に好適な形式で、２部分から成る家具フラップ、特に、上方折畳み式フラップとして形成された２部分から成る家具フラップにまとめることができる。この第２の枢着結合部によって、第１のフラップ部分と第２のフラップ部分との間の調節角によって特徴付けることができる、第１のフラップ部分に対する第２のフラップ部分の旋回を、案内することを可能にすることができる。このとき第２の枢着結合部は、支持装置の一部であってよく、このことは、特にコンパクトでまとまった、支持装置の構成に対して貢献することができる。また第２の枢着結合部内に、閉鎖運動を緩衝する手段が設けられていてもよい。第２の家具ヒンジによる第２の枢着結合部の構成では、支持装置における第２のフラップ部分の、ひいては家具の取付けおよび方向付けを容易にすることができる。
【００１４】
第２のヒンジレバーが、取付け位置において、フラップ部分を結合する第２の枢着結合部の回転点の下で、第２のフラップ部分に結合されていることによって、第２のヒンジレバーの結合部および第１のフラップ部分と第２のフラップ部分との第２の枢着結合部の特に好適な配置形態が得られる。支持装置の、家具フラップの内側に位置する部分は、家具フラップの各位置においてほぼ家具フラップの輪郭に追従することができる。
【００１５】
支持装置の伝達部分と、第１のヒンジレバーおよび／または第２のヒンジレバーとが、家具フラップの閉鎖位置において互いにほぼ一直線に整合していることによって、支持装置の特にコンパクトな構造形式を可能にすることができる。このような構造形式は、閉鎖された位置における極めて小さな所要スペースの点で傑出しており、これによって家具の家具本体の内室の空間使用を最適にすることができる。
【００１６】
支持装置の伝達部分と、第１のヒンジレバーおよび／または第２のヒンジレバーとが、家具フラップの開放位置において互いにほぼ一直線に整合していることによって、使用者に対して特にコンパクトに作用する、支持装置を備えた家具フラップの構成を可能にすることができ、このときこのような支持装置を備えた家具フラップを有する家具は、家具本体の内室内への特に良好な側方からの係合可能性の点で傑出している。これによってまた、家具の高い美観および操作安全性をも得ることができる。
【００１７】
支持装置の伝達部分の長手方向長さに対する第１のヒンジレバーおよび／または第２のヒンジレバーの長手方向長さの比が、１／２よりも小さいかまたは同じであることによって、第１のフラップ部分に対する第２のフラップ部分の調節角への第１のフラップ部分の調節角の伝達の伝達比を、次のような範囲において、すなわち家具フラップの開放運動時または閉鎖運動時に第１のフラップ部分に対する第２のフラップ部分の十分に大きな旋回を可能にし、かつ同時に、第１のフラップ部分の大きな部分にわたって内側に接触するように延びている伝達部分の配置形態を有する、支持装置の安定したコンパクトな構成を可能にするような範囲において、適合させることができる。
【００１８】
支持装置の伝達部分が、相対的に移動可能なガイド部分におけるほぼ直線的な案内構造によって少なくとも部分的に案内されていることによって、伝達部分が家具フラップの開放運動時または閉鎖運動時に第１のフラップ部分の内側に配置されたままになり、かつ第２のフラップ部分への第１のフラップ部分の調節角の効果的な伝達を行うことができることを、保証することができる。
【００１９】
案内構造が、好ましくは溝付レールを備えた強制案内であることによって、伝達部分の単純かつコンパクトでしかもまとまったガイドを得ることができる。好ましくは溝付レールを備えた強制案内によって、さらに、発生する力を軸方向において最適に伝達することができ、かつ家具の家具フラップの開放時または閉鎖時に発生する横方向力またはねじれによって生ぜしめられた力を、支持装置の機能がこれによって妨害されることなしに、支持装置によって受け止めることができる。このとき溝付レールは、少なくとも部分的にガイド部分において形成されたガイド溝に、伝達部分が後ろから係合することによって形成されていてよい。
【００２０】
支持装置のガイド部分が、第１のフラップ部分の内側に固定されていることによって、支持装置および家具の特にコンパクトで単純な構造形式を可能にすることができる。
【００２１】
ガイド部分が、第１の枢着結合部および／または第２の枢着結合部に結合されていることによって、支持装置に第１のフラップ部分を固定するための追加的な可能性を提供することができ、これによって家具の安定した構成を得ることができる。このときガイド部分は、第１の枢着結合部から第２の枢着結合部に到るまで延びていて、この第２の枢着結合部に結合されていてよく、家具の特に安定した容易に取付け可能な構成を可能にすることができる。ガイド部分は、このとき伝達部分を案内するのに適した連続した構造を有していていてもまたは単に部分的に形成された構造を有していてもよい。
【００２２】
第１のフラップ部分の高さに対する支持装置の伝達部分の長手方向長さの比が、１／３と少なくとも同じかまたはそれよりも大きい、好ましくは１／２と少なくとも同じかまたはそれよりも大きいことによって、使用者に対してコンパクトに作用しかつ第１のフラップ部分の大部分にわたって内側に接触している、支持装置の伝達部分の構成を可能にすることができる。また、このような寸法設定によって安定した家具フラップを形成することができる。
【００２３】
支持装置が、電気式のおよび／またはばね荷重を加えられた機械式の駆動装置を有していることによって、家具フラップの運動を促進することもしくは家具フラップをまたアクティブに運動させることができ、これによって使用者にとっての操作快適性が高められる。また、このような駆動装置によって、家具フラップを開放後に少なくとも一時的に開放位置において保持することができる。さらに家具フラップはこのような駆動装置によって、力が加えられた閉鎖位置において保持されることもできる。
【００２４】
ばね荷重を加えられた機械式の駆動装置が、蓄力器、好ましくは少なくとも１つのばねを有しており、このとき蓄力器によって、制御カムまたはマルチヒンジ運動機構（Mehrgelenkkinematik）に力が供給可能であることによって、駆動装置を、数少ない部材を有する単純でかつ安価な頑丈な形式で準備することができる。制御カムまたはマルチヒンジ運動機構によって、家具フラップを上方に折り畳むのに必要な、位置に関連した力を、家具本体に対する第１のフラップ部分の調節角に容易に関連付けることができる。
【００２５】
駆動装置が第１のヒンジレバーに対して作用することによって、支持装置のまとまったコンパクトな構造形式を可能にすることができ、このとき第１のヒンジレバーは、駆動装置内に組み込まれていてよく、このようにしてダブル機能を果たすことも可能である。
【００２６】
２部分から成る家具フラップのための支持装置に対する保護もまた望まれている。
【００２７】
このような支持装置の特に好適な構成は、この支持装置を、該支持装置に当て嵌まる上に述べた特徴のうちの少なくとも１つを有する支持装置の組合せによって、得ることができる。
【００２８】
本発明のその他の詳細および利点については、以下において、図面に示した実施形態を参照しながら詳しく説明する。
【図面の簡単な説明】
【００２９】
【図１】２部分から成る家具フラップを備えた家具を示す斜視図である。
【図２】完全に開放された位置における２部分から成る家具フラップと支持装置とを備えた家具を断面して示す側面図である。
【図３】中間位置における２部分から成る家具フラップと支持装置とを備えた家具を断面して示す側面図である。
【図４】閉鎖された位置における２部分から成る家具フラップと支持装置とを備えた家具を断面して示す側面図である。
【図５】図５ａ〜図５ｃは、開放運動時にもしくは閉鎖運動時における２部分から成る家具フラップと支持装置とを備えた家具を断面して示す側面図である。
【図６】閉鎖された位置における支持装置を示す斜視図である。
【図７】中間位置における支持装置を示す斜視図である。
【図８】中間位置における支持装置を示す別の斜視図である。
【図９】開放された位置における支持装置を示す斜視図である。
【図１０】図１０ａおよび図１０ｂは、閉鎖された位置における支持装置を示す側面図および斜視図である。
【図１１】図１１ａおよび図１１ｂは、中間位置における支持装置を示す側面図および斜視図である。
【図１２】図１２ａおよび図１２ｂは、開放された位置における支持装置を示す側面図および斜視図である。
【図１３】図１３ａ〜図１３ｃは、開放運動時もしくは閉鎖運動時における支持装置の一部を示す側面図および詳細図である。
【図１４】支持装置を分解して示す斜視図である。
【図１５】開放された位置における２部分から成る家具フラップと支持装置とを備えた家具の別の実施形態を断面して示す側面図である。
【図１６】中間位置における２部分から成る家具フラップと支持装置とを備えた家具の別の実施形態を断面して示す側面図である。
【図１７】２部分から成る家具フラップと支持装置とを備えた家具の別の実施形態を断面して示す側面図である。
【図１８】図１８ａ〜図１８ｃは、開放運動時もしくは閉鎖運動時における家具の別の実施形態を断面して示す側面図である。
【図１９】図１９ａ〜図１９ｃは、駆動装置を備えた支持装置の１実施形態の一部を断面して示す異なった側面図および斜視図である。
【図２０】支持装置の別の実施形態を分解して示す斜視図である。
【００３０】
図１は、家具本体２に取り付けられた２部分から成る家具フラップ３を備えた家具１を示す図であり、このとき家具フラップ３は、上方に折り畳まれた、つまり開放された位置にある。２部分から成る家具フラップ３は、第１のフラップ部分３１と第２のフラップ部分３２とから成っており、使用者による操作性を良好にするために、第２のフラップ部分３２の下縁部にはグリップ６が設けられている。支持装置４は、この図では家具フラップ３によって隠されている。
【００３１】
図２は、ほぼ図１に相当する開放された位置における家具１を断面して示す側面図である。この家具１はこのとき、支持装置４が固定されている家具本体２と、第１のフラップ部分３１と第２のフラップ部分３２とを備えた２部分から成る家具フラップ３とから構成されている。第２のフラップ部分３２には、家具フラップ３を操作するためのグリップ６が設けられている。支持装置４のハウジング４８は、家具本体２の上側に位置する領域に取り付けられており、このとき支持装置４の取付けは、家具本体２の側壁で行われても、または家具本体２の天板の下面において行われてもよい。家具フラップ３の第１のフラップ部分３１は、第１の枢着結合部４６を介してハウジング４８に結合されている。後でさらに分かるように、この第１の枢着結合部は、４ポイントコンシールドヒンジ（Vierpunkttopfscharnier）であってよい。また第１のフラップ部分３１は、追加的に支持装置４のガイド部分４５に固定されている。第２のフラップ部分３２は、第２の枢着結合部４７を用いて第１のフラップ部分３１に結合されている。両フラップ部分３１，３２の間における第２の枢着結合部４７は、後でさらに分かるように、２ポイントコンシールドヒンジであってよい。ハウジング４８にはさらに第１のヒンジレバー４１が回転可能に支持されている。この第１のヒンジレバー４１は、第１の枢着点４３で伝達部分４０に係合している。さらに伝達部分４０の第２の枢着点４４には、第２のヒンジレバー４２が係合している。第２のヒンジレバー４２は、第２のフラップ部分３２に枢着結合されており、図示の実施形態では、この結合は第２の枢着結合部４７を介して行われる。家具フラップ３の開放位置に対応するこの位置において、第１のヒンジレバー４１、伝達部分４０および第２のヒンジレバー４２は、互いにほぼ一直線に整列している。図面からも明らかに分かるように、家具本体２によって形成された内室２０への接近は、この内室２０から突出しているこれらの部材によって阻止されない。さらに支持装置４は、外から認識できない電気式の駆動装置５を有していてよい。
【００３２】
図３に示した家具１の断面図において、２部分から成る家具フラップ３は、完全に開放された状態と完全に閉鎖された状態との間の中間位置にある。家具本体２に対する第１のフラップ部分３１の、図２に対して減じられた調節角（Stellwinkel）によって生ぜしめられた、第１のヒンジレバー４１の旋回は、伝達部分４０を介して、第２のフラップ部分３２と第２のヒンジレバー４２を備えた第１のフラップ部分３１との間における調節角に伝達されるので、２部分から成る家具フラップ３の閉鎖時に、第２のフラップ部分３２は第１のフラップ部分３１に対して旋回する。そのために第２のフラップ部分３２の調節角に対する第１のフラップ部分３１の調節角の伝達は、ガイド部分４５に沿って直線的に案内される、全旋回範囲にわたって第１のフラップ部分３１の内側に接触している伝達部分４０によって、可能になり、かつ２部分から成る家具フラップ３の開放時または閉鎖時における、第１のフラップ部分３１に対する第２のフラップ部分３２の制御された旋回を可能にする。
【００３３】
図４は、２部分から成る家具フラップ３の完全に閉鎖された位置における家具１を示す図である。支持装置４の第１のヒンジレバー４１、伝達部分４０および第２のヒンジレバー４２は、２部分から成る家具フラップ３のこの閉鎖された位置において、互いにほぼ一直線に整合されており、これによって支持装置４の所要スペースを極めて小さくすることができる。
【００３４】
図５ａ〜図５ｃは、家具１の２部分から成る家具フラップ３の開放運動もしくは閉鎖運動を示す図である。このとき図５ａは、完全に閉鎖された２部分から成る家具フラップ３を有する家具１を示し、図５ｂは、部分的に開放もしくは閉鎖された位置における、２部分から成る家具フラップ３を有する家具１を示し、図５ｃは、完全に開放された２部分から成る家具フラップ３を有する家具１を示している。このとき良好に認識できるように、２部分から成る家具フラップ３の開放時または閉鎖時に、下側に配置された第２のフラップ部分３２は、支持装置４によって第１のフラップ部分３１に対して旋回させられ、このとき第２のフラップ部分３２が上方もしくは下方に向かってほぼ真っ直ぐに移動させられるようになっている。このことは、使用者の操作快適性に合致している。それというのは、２部分から成る家具フラップの開放時または閉鎖時に、下側の第２のフラップ部分３２が家具本体２から、上側の第１のフラップ部分３１の下縁部よりもさらに外方旋回することはないからである。このとき支持装置４の、第１のフラップ部分３１の内側に接触している部分は、２部分から成る家具フラップ３の内面に沿って隣接し、そして使用者に対して、家具本体２によって形成された内室２０への最適な接近可能性を可能にする。また最適な操作安全性は、フラップ部分３１，３２とは別個に形成された、場合によっては存在していた、家具本体２から突出する追加的な調節エレメントを、このようにして省略できることによって得られる。
【００３５】
図６は、２部分から成る家具フラップ３（図示せず）の閉鎖位置に対応する位置における支持装置４を、背後から見て示す斜視図である。この図面では、ハウジング４８、このハウジング４８に枢着固定された第１のヒンジレバー４１、第１の枢着点４３において第１のヒンジレバー４１に結合された伝達部分４０、および第２の枢着点４４において伝達部分４０に枢着結合された第２のヒンジレバー４２を見ることができる。第１の枢着結合部４６および第２の枢着結合部４７に結合されたガイド部分４５は、この図面では隠されている。第２のヒンジレバー４２は、本実施形態では取付け金具（Beschlagteil）４９を介して第２の枢着結合部４７に結合されている。この取付け金具４９によって、家具フラップ３の、取付けのために枢着結合部４６，４７に設けられたフラップ部分３１，３２の調節角の伝達比を、伝達部分４０に対するヒンジレバー４１，４２の比率によって与えられた伝達比に加えて、調節することができる。取付け金具４９の使用時に、第１のヒンジレバー４１、伝達部分４０および第２のヒンジレバー４２は、さらにほぼ互いに一直線に整列することができる。
【００３６】
図７は、支持装置４を背後から見て示す斜視図であり、このとき支持装置４の位置は、図示されていない２部分から成る家具フラップ３の部分的に開放されたもしくは閉鎖された位置に対応している。図７から認識できるように、ハウジング４８に結合された第１の枢着結合部４６は、本実施形態では、４リンクコンシールドヒンジ（Viergelenktopfscharnier）として形成されていて、部分的に開放されている。支持装置４のこの位置における第１のヒンジレバー４１の旋回によって、ガイド部分４５の一部も見える。旋回によって生ぜしめられる、伝達部分４０とガイド部分４５との間における直線的な相対運動によって、第２の枢着結合部４７は、第２のヒンジレバー４２および取付け金具４９を介してその調節角を変化させられ、このとき取付けのために第２の枢着結合部４７に設けられたフラップ部分３２は、ほぼ鉛直な位置において保持されるようになる。
【００３７】
図８は、支持装置４を背後から見て示す斜視図であり、このとき支持装置４の位置は、ほぼ完全に開放された、２部分から成る家具フラップ３の位置に対応している。本実施形態において４リンクコンシールドヒンジとして形成されている第１の枢着結合部４６は、このとき同様にほぼ開放された状態にある。ガイド部分４５において直線的に案内される伝達部分４０は、支持装置４のこの位置において、ガイド部分４５に対して、ガイド部分４５の下端部から（開放運動を前提とすると）ガイド部分４５の上端部に向かって移動させられており、そして第２のヒンジレバー４２と取付け金具４９とを介して、第１の枢着結合部４６の旋回を第２の枢着結合部４７に伝達する。
【００３８】
図９は、支持装置４を背後から見て示す斜視図であり、このとき支持装置４の位置は、完全に開放された、２部分から成る家具フラップ３の位置に対応している。ハウジング４８とガイド部分４５との間における、４ポイントヒンジとして形成された第１の枢着結合部４６は、このとき開放された位置に、言い換えれば外方旋回させられた位置または延ばされた位置にあり、ガイド部分４５と第２のヒンジレバー４２との間における、２ポイントコンシールドヒンジとして形成された第２の枢着結合部４７は、閉鎖された位置に、言い換えれば曲げられた位置または内方旋回させられた位置にある。伝達部分４０は、ガイド部分４５に対して、第１の枢着結合部４６に向かって最大に移動させられており、このことは、支持装置４の、２部分から成る家具フラップ３の開放された位置に対応する位置の特徴である。強制案内は、この実施形態では伝達部分４０による、ガイド部分４５に形成されたガイド溝７への背後からの係合（Hintergreifen）によって形成される。開放された位置に対応する支持装置４の位置における、第２の枢着結合部４７の所望の傾きは、取付け金具４９の寸法設定によって調節することができる。
【００３９】
図１０ａおよび図１０ｂは、２部分から成る家具フラップ３の閉鎖された位置に対応する支持装置４の位置を示す側面図および前側から見た斜視図である。伝達部分４０はこの位置において、ガイド部分４５に対して、第２の枢着結合部４７に向かって最大に移動させられている。４ポイントコンシールドヒンジもしくは２ポイントコンシールドヒンジとして形成された第１もしくは第２の枢着結合部４６，４７はそれぞれ、取付けのために該第１もしくは第２の枢着結合部４６，４７に設けられた、２部分から成る家具フラップ３のフラップ部分３１，３２がそれぞれ鉛直に位置するような位置にある。第１のヒンジレバー４１、伝達部分４０および第２のヒンジレバー４２は、互いにほぼ一直線に整列している。４ポイントコンシールドヒンジとして形成された第１の枢着結合部４６は、この位置において閉鎖された状態にあり、これに対して２ポイントコンシールドヒンジとして形成された第２の枢着結合部４７は、開放された状態にある。
【００４０】
図１１ａおよび図１１ｂは、中間位置にある支持装置を示す側面図および前側から見た斜視図である。４ポイントコンシールドヒンジとして形成された第１の枢着結合部４６および２ポイントコンシールドヒンジとして形成された第２の枢着結合部４７は、このときそれぞれ部分的に開放されたもしくは閉鎖された状態にある。伝達部分４０は、ガイド部分４５に対して可能な移動行程のほぼ半分に、つまりガイドの下側の終端位置と上側の終端位置との間に位置している。
【００４１】
図１２ａおよび図１２ｂは、２部分から成る家具フラップ３の開放された位置に対応する位置における支持装置４を示す側面図もしくは斜視図である。第１のヒンジレバー４１、伝達部分４０および第２のヒンジレバー４２は、このとき再び互いに一直線に整列している。伝達部分４０は、ガイド部分４５に対するその移動行程において上側の終端位置にある。４ポイントコンシールドヒンジとして形成された第１の枢着結合部４６は、完全に開放された状態にあり、かつ２ポイントコンシールドヒンジとして形成された第２の枢着結合部４７は、完全に閉鎖された状態にある。
【００４２】
図１３ａ〜図１３ｃは、開放運動時もしくは閉鎖運動時における支持装置４の一部と共に２部分から成る家具フラップ３の一部を示す詳細図である。図１３ａにおいて、第１のフラップ部分３１の一部と第２のフラップ部分３２の一部とを見ることができる。さらに、２ポイントコンシールドヒンジとして形成された第２の枢着結合部４７も見ることができ、この第２の枢着結合部４７によって、第１のフラップ部分３１と第２のフラップ部分３２との間における枢着結合が行われる。支持装置４の第２のヒンジレバー４２は、本実施形態では取付け金具４９を介して第２のフラップ部分３２に結合されている。第２のヒンジレバー４２は、さらに伝達部分４０の第２の枢着点４４において伝達部分４０に接続している。第１のフラップ部分３１は、ねじ結合部を介して支持装置４のガイド部分４５に固定されていてよい。ガイド部分４５において案内された伝達部分４０は、家具１の閉鎖された位置に対応するこの位置において、その移動行程の下側の終端位置にある。図１３ｂには支持装置４および２部分から成る家具フラップ３の一部が、部分的に開放されたもしくは閉鎖された状態で示されている。この図１３ｂから認識できるように、第１のフラップ部分３１の傾きは、伝達部分４０とこの伝達部分４０を備えたガイド部分４５との間における相対移動によって、第２のヒンジレバー４２と取付け金具４９とを介して、第２の枢着結合部４７に、ひいては第２のフラップ部分３２に伝達されている。図１３ｃには支持装置４および２部分から成る家具フラップ３の一部が、完全に開放された位置において示されている。このとき顧慮すべきことは、取付け金具４９によって、２部分から成る家具フラップ３の開放位置における第２のフラップ部分３２の傾斜が調節可能であるということである。ここに示した実施形態では、第２のフラップ部分３２は、家具１の家具本体２から離反方向に傾斜されており、これによって使用者は、開放された家具フラップ３の下への接近が容易になる。
【００４３】
図１４は、支持装置４を分解して示す斜視図である。この図１４においては、ハウジング４８、このハウジング４８に固定のために設けられた、４ポイントコンシールドヒンジとして形成された第１の枢着結合部４６、ガイド部分４５、取付け金具４９が固定された、２ポイントコンシールドヒンジとして形成された第２の枢着結合部４７、第２のヒンジレバー４２、第１および第２の枢着点４３，４４を備えた伝達部分４０、および第１のヒンジレバー４１を見ることができる。伝達部分４０の直線的な強制案内のためのガイド溝７は、このとき部分的に、ガイド部分４５と、２ポイントコンシールドヒンジとして形成された第２の枢着結合部４７の、ガイド部分４５における固定のために設けられたアームとに形成されている。伝達部分４０においては、ガイド溝７内への係合のために設けられた保持構造を認識することができる。
【００４４】
図１５は、家具本体２、２部分から成る家具フラップ３および支持装置４を備えた家具１の１実施形態を示す図であり、この実施形態では、支持装置４はばね荷重を加えられた機械式の駆動装置５を有している。この駆動装置はこのとき支持装置４の第１のヒンジレバー４１に対して作用し、しかもこのとき第１のヒンジレバー４１は、ハウジング４８における支持部の領域に制御カム５２を備えており、これによって駆動装置５のまとまったコンパクトな構造形式が可能になる。ばね荷重を加えられた機械式の駆動装置５によって、２部分から成る家具フラップ３は図示のように開放された位置において保持されることができる。
【００４５】
図１６は、２部分から成る家具フラップ３、ばね荷重を加えられた機械式の駆動装置５を備えた支持装置４を備えた家具１の１実施形態を、部分的に開放されたもしくは閉鎖された家具フラップ３と共に示す図である。このとき２部分から成る家具フラップ３の開放運動を、駆動装置５によって促進することができ、またはある一定の角度範囲にわたって駆動することもできる。
【００４６】
図１７は、駆動装置５を備えた支持装置４を有する、家具フラップ３の閉鎖位置における、家具１の１実施形態を示す図である。ばね荷重を加えられた機械式の駆動装置５は、支持装置４のこの位置において、２部分から成る家具フラップ３を、使用者が極めて簡単に克服可能な力で閉鎖位置に保持することができる。
【００４７】
図１８ａ〜図１８ｃは、２部分から成る家具フラップ３の、駆動装置５を備えた支持装置４を有する家具１の開放運動および閉鎖運動の過程を示す図である。このとき駆動装置５は、家具フラップ３の、図１８ａに示した閉鎖位置を維持することができる。家具フラップ３を駆動装置５によって閉鎖位置へと押し退けることができる一定の開放角以降において、駆動装置５は家具フラップ３の開放をアクティブに促進することができ、かつ家具フラップ３を図１８ｃに示すように開放された位置において保持することができる。
【００４８】
図１９ａは、ばね荷重を加えられた機械式の駆動装置５と、この駆動装置５に固定された家具フラップ３の第１のフラップ部分３１とを備えた支持装置４を、部分的に示す図である。この図１９ａには、第１のヒンジレバー４１に形成された制御カム５２に対して作用する、ハウジング４８内に配置されたばね５１が示されている。
【００４９】
図１９ｂおよび図１９ｃは、支持装置４のハウジング４８内に形成された駆動装置５を示す側面図もしくは斜視図である。
【００５０】
図２０は、ばね荷重を加えられた機械式の駆動装置５が設けられている、支持装置４を分解して示す斜視図である。第１の枢着結合部４６および駆動装置５のために設けられたばね５１は、この図には示されていない。図２０においては、ハウジング４８、ガイド部分４５、取付け金具４９が固定されている２ポイントコンシールドヒンジとして形成された第２の枢着結合部４７、第１および第２の枢着点４３，４４を備えた伝達部分４０の第２のヒンジレバー４２、および制御カム５２が形成された第１のヒンジレバー４１を見ることができる。伝達部分４０の強制案内のためのガイド溝７は、本実施形態では部分的にガイド部分４５に形成されている。
【図１】
0006679603.tif 000002
【図２】
0006679603.tif 000003
【図３】
0006679603.tif 000004
【図４】
0006679603.tif 000005
【図５ａ】
0006679603.tif 000006
【図５ｂ】
0006679603.tif 000007
【図５ｃ】
0006679603.tif 000008
【図６】
0006679603.tif 000009
【図７】
0006679603.tif 000010
【図８】
0006679603.tif 000011
【図９】
0006679603.tif 000012
【図１０ａ】
0006679603.tif 000013
【図１０ｂ】
0006679603.tif 000014
【図１１ａ】
0006679603.tif 000015
【図１１ｂ】
0006679603.tif 000016
【図１２ａ】
0006679603.tif 000017
【図１２ｂ】
0006679603.tif 000018
【図１３ａ】
0006679603.tif 000019
【図１３ｂ】
0006679603.tif 000020
【図１３ｃ】
0006679603.tif 000021
【図１４】
0006679603.tif 000022
【図１５】
0006679603.tif 000023
【図１６】
0006679603.tif 000024
【図１７】
0006679603.tif 000025
【図１８ａ】
0006679603.tif 000026
【図１８ｂ】
0006679603.tif 000027
【図１８ｃ】
0006679603.tif 000028
【図１９ａ】
0006679603.tif 000029
【図１９ｂ】
0006679603.tif 000030
【図１９ｃ】
0006679603.tif 000031
【図２０】
0006679603.tif 000032